(57)【要約】      （修正有）【課題】簡易な操作で、ディジタルペン等を扱うことができるペンシステムの提供。【解決手段】ユニークなドットが配列されているアンケート用紙１０に設けられている幾つかの枠内にディジタルペン２０で書き込む際に、そのペン先付近を撮像しながらドット等を読み込んでいくことでアンケート用紙上でのペン先位置の軌跡のディジタルデータを作成する。枠等に対応する領域をディスプレイ３０に表示させるための表示制御情報と枠内に位置するドット情報とを枠毎に登録しておく登録手段と、前記いずれかの枠等がディジタルペン２０でタップされる際に当該タップ位置付近のドットを撮像する撮像手段と、撮像手段によって撮像されたドットに基づいて前記登録手段を参照して当該ドット情報に対応する表示制御情報を特定する特定手段と、前記特定手段によって特定された表示制御情報に基づいてディスプレイ３０に表示させる領域を制御する制御手段とを備える。【選択図】図１
2013178674.tif 000002
【特許請求の範囲】
【請求項１】
紙面に設けられている幾つかの枠内に対してディジタルペンで書き込む際に、前記紙面上でのペン先位置の軌跡のディジタルデータを作成するとともに、書き込み先の枠に対応する領域を表示しているディスプレイ上に前記ディジタルデータを表示させていくディジタルペンシステムであって、
前記枠に対応する領域を前記ディスプレイに表示させるための表示制御情報と当該枠内を示す情報とを登録しておく登録手段と、
前記いずれかの枠が前記ディジタルペンでタップされた場合に前記登録手段を参照して当該枠に対応する表示制御情報を特定する特定手段と、
前記特定手段によって特定された表示制御情報に基づいて前記ディスプレイに表示させる領域を制御する制御手段とを備えるディジタルペンシステム。
【請求項２】
前記表示制御情報は、前記領域毎に割り当てられているユニークな位置情報である、請求項１記載のディジタルペンシステム。
【請求項３】
前記各領域の大きさは、これらに対応する各枠の大きさに基づいて定められている、請求項1記載のディジタルペンシステム。
【請求項４】
紙面に設けられている幾つかの枠内に対してディジタルペンで書き込む際に、前記紙面上でのペン先位置の軌跡のディジタルデータを作成するとともに、書き込み先の枠に対応する領域を表示しているディスプレイ上に前記ディジタルデータを表示させていく表示方法であって、
前記枠に対応する領域を前記ディスプレイに表示させるための表示制御情報と当該枠を示す情報とを登録しておくステップと、
前記いずれかの枠が前記ディジタルペンでタップされた場合に当該枠に対応する表示制御情報を特定するステップと、
前記特定した表示制御情報に基づいて前記ディスプレイに表示させる領域を制御するステップとを含む表示方法。
【請求項５】
請求項４に記載の各ステップをコンピュータに実行させる表示プログラム。
【発明の詳細な説明】
【技術分野】
【０００１】
本発明は、ディジタルペンシステム、表示方法及びプログラムに関し、特に、アンケート用紙などの紙面に記載される文字をディスプレイに略リアルタイムで表示させるディジタルペンシステム、表示方法及びプログラムに関する。
【背景技術】
【０００２】
特許文献１には、単位領域ごとに異なるドットパターンが表示されたシートと、このシート上に点又は線からなる筆記情報を記載するためのディジタルペンとを具備したディジタルペン入力システムが開示されている。
【０００３】
ここで、ディジタルペンシステムの利点としては、ディジタルペンを用いてシート（紙面）に書き込んだ内容は、パーソナルコンピュータなどにディジタルデータとして送信されることが挙げられる。このため、ディジタルペンシステムは、様々な用途が期待されていて、とりわけ、紙面をアンケート用紙として用いて、アンケート結果を集計することにも用いられている。
【０００４】
ここで、アンケートには種々のものがあるが、例えば、アンケート調査員がアンケートモニターに対して口頭で質問をし、それに対する回答をアンケート調査員がアンケート用紙に書き込んでいくというものがある。
【０００５】
【特許文献１】特開２００７−２２６３２３号公報
【発明の開示】
【発明が解決しようとする課題】
【０００６】
しかし、アンケート調査員が、ディジタルペン或いはパーソナルコンピュータの操作に不慣れであるとか、得意でないといった場合には、アンケート用紙に書き込んでいる内容に対応するディジタルデータがパーソナルコンピュータにきちんととりこまれているか否かを容易に確認することができない場合がある。
【０００７】
これに対しては、ディジタルペンを用いて書いた内容が、略リアルタイムでタブレットのような携帯型情報端末装置装置に表示されるようにすることで、懸念材料が著しく減じられると考えられる。
【０００８】
ただ、やはり、アンケート調査員が、タブレット等の操作に不慣れ等である場合には、アンケート用紙の枚数が膨大であるといった事情があるときに、アンケート結果を書き込みたい場所を、タブレットなどのディスプレイに表示させること自体が困難な場合があり得る。
【０００９】
もっとも、たとえ、タブレット等の操作に慣れているといったアンケート調査員であっても、アンケート結果を書き込みたい場所が容易にタブレットなどのディスプレイに表示させることができれば、スクロール作業等の手間も省けるので好ましい。
【００１０】
そこで、本発明は、上記事情にかんがみて、簡易な操作によって、ディジタルペン等を扱うことができるようにすることを課題とする。
【課題を解決するための手段】
【００１１】
上記課題を解決するために、本発明は、紙面に設けられている幾つかの枠内に対してディジタルペンで書き込む際に、前記紙面上でのペン先位置の軌跡のディジタルデータを作成するとともに、書き込み先の枠に対応する領域を表示しているディスプレイ上に前記ディジタルデータを表示させていくディジタルペンシステムであって、
前記枠に対応する領域を前記ディスプレイに表示させるための表示制御情報と当該枠内を示す情報とを登録しておく登録手段と、
前記いずれかの枠が前記ディジタルペンでタップされた場合に前記登録手段を参照して当該枠に対応する表示制御情報を特定する特定手段と、
前記特定手段によって特定された表示制御情報に基づいて前記ディスプレイに表示させる領域を制御する制御手段とを備える。
【００１２】
また、本発明は、紙面に設けられている幾つかの枠内に対してディジタルペンで書き込む際に、前記紙面上でのペン先位置の軌跡のディジタルデータを作成するとともに、書き込み先の枠に対応する領域を表示しているディスプレイ上に前記ディジタルデータを表示させていく表示方法であって、
前記枠に対応する領域を前記ディスプレイに表示させるための表示制御情報と当該枠を示す情報とを登録しておくステップと、
前記いずれかの枠が前記ディジタルペンでタップされた場合に当該枠に対応する表示制御情報を特定するステップと、
前記特定した表示制御情報に基づいて前記ディスプレイに表示させる領域を制御するステップとを含む。
【００１３】
さらに、本発明の表示プログラムは、上記各ステップをコンピュータに実行させる。
【発明の実施の形態】
【００１４】
以下、本発明の実施形態について、図面を参照して説明する。
【００１５】
図１は、本発明のディジタルペンシステムの模式的な構成図である。図１には、以下説明する、アンケート用紙１０と、ディジタルペン２０と、ディスプレイ３０とを示している。
【００１６】
アンケート用紙１０は、既知のように、小さくユニークなドット１２ａ〜１２ｄ等が配列されている用紙である。なお、図１においては、ドット１２ａ等を誇張して示している点に留意されたい。
【００１７】
また、アンケート用紙１０には、アンケート調査員がアンケートモニターにヒヤリングした際に回答される内容の概要等が書き込まれる枠１１，１２，・・・，１ｎが設けられている。枠１１等は、アンケート内容に応じて予想される書き込み量に応じた大きさとすればよい。ユニークなドット１２ａ等は、アンケート用紙１０の全面に亘り配列されていることが多いが、本実施形態の場合には、少なくとも枠１１等の中にのみ配列することもできる。
【００１８】
なお、ここでは、枠１２の一部の拡大部分を示しており、そこにドット１２ａ〜１２ｄが配列されている様子を示しているが、他の枠１１等にも、同様に、ユニークなドットが配列されている。
【００１９】
ディジタルペン２０は、アンケート調査員がアンケートモニターにヒヤリングした際に回答される内容の概要等を、アンケート用紙１０の枠内に書き込むためのものである。ディジタルペン２０には、既知のように、そのペン先に付帯して設けられている筆圧センサ２２と、筆圧センサ２２がオンしているときにペン先付近を撮像する撮像手段２４と、撮像手段２４によって撮像されたデータをディスプレイ３０に係るタブレット等の携帯型情報端末装置装置に送信する送信手段２６とが設けられている。
【００２０】
ディスプレイ３０は、定型化した質問（図１におけるＱ１，Ｑ３）とそれらの回答選択肢（図１におけるＡ１，Ａ３）とが用意された第１のアンケート内容の表示媒体である。また、ディスプレイ３０は、これらに加えて、アンケート用紙１０に示されている枠１１，１２に対応する領域１１’１２’等（図１におけるＡ２，Ａ４）と、これらに付帯する質問（図１におけるＱ２，Ｑ４）が用意された第２のアンケート内容も表示する。
【００２１】
第１のアンケート内容については、例えば、アンケート調査員がアンケートモニターに対して口頭で、定型化した質問Ｑ１，Ａ３を回答選択肢Ａ１，Ａ３とともに問いかけ、アンケートモニターから回答された選択肢に従って、ラジオボタン、又は、○或いは×などを、ディスプレイ３０をタッチすることによって、携帯型情報端末装置に入力するようにしている。
【００２２】
第２のアンケート内容については、アンケート調査員がＱ２，Ｑ４等をアンケートモニターに対して口頭で投げかけ、それらに対する回答を、アンケート用紙１０の枠１１等内に、直接アンケート調査員が書き込んでいき、それと連動させて、そのペン先付近を撮像手段２４によって撮像し、送信手段２６を通じて携帯型情報端末装置に撮像データを送信し、略リアルタイムでディスプレイ３０に表示されるようにしてある。
【００２３】
なお、図１のディスプレイ３０への表示内容は、画面スクロール等することで、例えば枠１ｎに対応する領域をディスプレイ３０にも表示させることが可能である。
【００２４】
ここで重要なのは、本実施形態のディジタルペンシステムは、図１においては、領域１１’がディスプレイ３０の略中央に表示され、ディスプレイ３０の下方に領域１２’が表示されている様子を示しているが、仮に、ユーザが領域１２ａに対応する枠１２をディジタルペン２０によってタップした場合には、画面が下方にスクロールするなどして、ディスプレイ３０の中央に領域１２ａ’が表示されるようにしていることである。このための具体的手法について以下説明する。
【００２５】
図２は、図１に示すディスプレイ３０を有する携帯型情報端末装置であるところのタブレット４０の模式的な構成を示すブロック図である。図２には、以下説明する、受信手段３１と、特定手段３２と、制御手段３３と、作成手段３４と、表示手段３５と、データベース３６とを示している。
【００２６】
また、タブレット４０は、後述する各種処理を実行するための所要のプログラムが格納されているメモリと当該プログラムに従って動作するＣＰＵなどとを内蔵している。さらに、本実施形態では、アンケート調査員によってアンケート用紙１０に書き込まれた内容、すなわち、ディジタルペン２０から送信される文字の軌跡データを、タブレット４０から無線などを通じて図示しないサーバに対して送信できるようにしている。
【００２７】
受信手段３１は、ディジタルペン２０の送信手段２６から送信される撮像データを受信するものである。受信された撮像データは、ディジタルペン２０によって枠１１等がタップされた場合には特定手段３２に出力され、ディジタルペン２０によって枠１１等内に文字等が書かれた場合には作成手段３４に出力される。
【００２８】
撮像データの出力先を特定手段３２と作成手段３４とのいずれにするかは、１秒などの所定時間内に連続的に撮像データを受信したか否かによって選別すればよい。
【００２９】
特定手段３２は、受信手段３１から出力された撮像データに含まれるドットに基づいて、データベース３６を参照して、当該ドットに対応する表示制御情報（この情報については後述する）を特定するものである。
【００３０】
制御手段３３は、特定手段３２によって特定された表示制御情報に基づく領域１１’等を、ディスプレイ３０に表示させるといった制御を行うものである。
【００３１】
作成手段３４は、受信手段３１から出力された撮像データに係るドットに基づいて、アンケート用紙１０上でのディジタルペン２０のペン先位置の軌跡のディジタルデータを作成するものである。
【００３２】
表示手段３５は、作成手段３４によって作成されたディジタルデータを、ディスプレイ３０に表示させるものである。
【００３３】
データベース３６は、以下説明するように、各枠１１，１２，・・・，１ｎに対応する領域１１’，１２’，・・・，１ｎ’をディスプレイ３０に表示させるための表示制御情報と各枠１１，１２，・・・，１ｎ内に位置するドット情報とが、枠毎に登録されているものである。
【００３４】
図３は、図２に示すデータベース３６に登録されている表示制御情報とドット情報との対応関係を示す図である。図３には、枠１１，１２，・・・，１ｎを特定するための枠番号と、各枠１１等内に配列されているドット情報１１ａ，１２ａ，・・・，１ｎａ等と、各枠１１等に対応する領域１１’等をディスプレイ３０に表示させるための表示制御情報Ｙ１，Ｙ２，・・・，Ｙｎとが、枠毎に対応されて登録されている様子を示している。
【００３５】
例えば、枠番号「１２」に着目すると、枠１２に対応して、ドット情報として「ドット１２ａ，１２ｂ，１２ｃ，１２ｄ」等が登録されていて、かつ、領域１２’に割り当てられている位置座標「Ｙ２」が表示制御情報として登録されている。
【００３６】
なお、ディスプレイ３０に表示させるべきアンケート内容が多くなることも想定される。係る場合には、例えば、アンケート内容をいくつかに分割し、ウェブページに表示させるようにし、かつ、ブラウザを用いてアンケート内容を表示させるとよい。そして、各領域１１’等が中央に表示される態様で固有のＵＲＬを割り当て、各ＵＲＬを表示制御情報とするとよい。こうすれば、いずれかの枠がディジタルペン２０によってタップされた場合に、これに対応するＵＲＬに基づく表示をブラウザ内で行うことができるようになる。
【００３７】
図４は、本実施形態のディジタルペンシステムによって実現されるディスプレイ３０の表示態様を示す図である。図４（ａ）には図１に示した表示態様が示されていて、図４（ｂ）にはアンケート調査員が枠１２内をディジタルペン２０でタップした後の表示態様が示されている。
【００３８】
例えば、図４（ａ）に示されている状態で、アンケート調査員が枠１２内をディジタルペン２０でタップすると、筆圧センサ２２がオンし、撮像手段２４がディジタルペン２０のペン先付近を撮像することになる。
【００３９】
このため、枠１２内に配列されている、例えばドット１２ａが撮像される。撮像手段２４によって撮像されたデータは、送信手段２６に出力され、無線又は有線接続されているタブレット４０へ送信される。
【００４０】
タブレット４０では、ディジタルペン２０の送信手段２６から送信された撮像データを、受信手段３１によって受信する。ここでは、連続的に撮像データが送信されてくるわけではないので、受信された撮像データは、特定手段３２に出力される。
【００４１】
特定手段３２は、受信手段３１から出力された撮像データに係るドット１２ａに基づいて、データベース３６を参照する。データベース３６には、ドット１２ａに対応する位置座標として「Ｙ２」が登録されているので、特定手段３２は、ドット１２ａに対応する表示制御情報が「Ｙ２」であると特定することになる。
【００４２】
制御手段３３は、特定手段３２によって特定された表示制御情報に基づく領域を、ディスプレイ３０に表示させるため、位置座標「Ｙ２」がディスプレイ３０中央に対応する位置座標と合致させるような画像処理制御を行う。
【００４３】
以上の処理によって、図４（ａ）に示した状態から図４（ｂ）に示した状態に、ディスプレイ３０の表示内容が切り替わることになる。
【００４４】
つづいて、アンケート調査員が枠１２内にディジタルペン２０を用いて、アンケートモニターからの回答を書き込んでいくと、既知のように、筆圧センサ２２がオンした状態が続き、その間、撮像手段２４がディジタルペン２０のペン先付近を撮像していくことになる。
【００４５】
このため、枠１２内に配列されている、例えばドット１２ａ，１２ｂ，１２ｃ，１２ｄが連続的に撮像されていくことになる。撮像手段２４によって撮像されたデータは、既知のように、送信手段２６に出力され、無線又は有線接続されているタブレット４０へ送信される。
【００４６】
タブレット４０では、ディジタルペン２０の送信手段２６から送信された撮像データを、受信手段３１によって受信する。ここでは、連続的に撮像データが送信されてくるため、受信された撮像データは、作成手段３４に出力される。
【００４７】
作成手段３４は、既知のように、受信手段３１から出力された撮像データに係るドット１２ａ，１２ｂ，１２，ｃ，１２ｄ等に基づいて、アンケート用紙１０上でのディジタルペン２０のペン先位置の軌跡のディジタルデータを作成する。
【００４８】
表示手段３５は、既知のように、作成手段３４によって作成されたディジタルデータを、ディスプレイ３０に出力することによって、当該ディジタルデータをディスプレイ３０に表示させる。
【００４９】
以上説明したように、本実施形態のディジタルペンシステムは、アンケート調査員がアンケート用紙１０内におけるアンケート結果を書き込みたい枠をタップするという簡単な動作をするだけで、その枠に対応する領域をディスプレイ３０の例えば中央に表示させることができる。
【００５０】
これにより、たとえアンケート調査員が、ディジタルペン２０又はタブレット４０の操作が得意でないなどの理由があっても、上記タップ動作をする以外は、アンケート用紙１０の所定枠内にディジタルペン２０を用いて手書きでアンケート結果を書き込むだけで、その内容がディスプレイ３０に表示されるため、ディジタルペン２０又はタブレット４０の操作ミスなどを懸念しなくて済むようになる。
【００５１】
以上、本実施形態では、アンケート用紙１０にドットが配列されているタイプのディジタルペンシステムについて説明したが、この他にも、ディジタルペンシステムには、抵抗膜方式、表面弾性波方式、赤外線方式、電磁誘導方式、静電容量方式などのいくつかの方式のものがあり、当業者であれば、これらのいずれの方式のものについても、枠１１等のタップ位置を特定可能であるので、本発明を適用することができることは明らかである。
【００５２】
念のため付言すると、例えば、電磁誘導方式のものであれば、コイルを備えるボード上の予め決められた位置に対して、アンケート用紙１０がきちんと位置合わせされた状態で、各枠に対応する位置情報をドット情報に代えてデータベース３６に登録しておけば、枠１１等のタップ位置を特定可能となる。したがって、本発明は、ディジタルペンシステムの限定的な方式にのみ採用できるものではなく、各種方式のものにも採用することができる。
【図面の簡単な説明】
【００５３】
【図１】本発明のディジタルペンシステムの模式的な構成図である。
【図２】図１に示すタブレット４０の模式的な構成を示すブロック図である。
【図３】図２に示すデータベース３６に登録されている表示制御情報とドット情報との対応関係を示す図である。
【図４】本実施形態のディジタルペンシステムによって実現されるディスプレイ３０の表示態様を示す図である。
【符号の説明】
【００５４】
１０  アンケート用紙
２０  ディジタルペン
３０  ディスプレイ
３１  受信手段
３２  特定手段
３３  制御手段
３４  作成手段
３５  表示手段
３６  データベース
４０  タブレット
【図１】
2013178674.tif 000003
【図２】
2013178674.tif 000004
【図３】
2013178674.tif 000005
【図４】
2013178674.tif 000006